(57)【要約】【課題】本体に収容する電池が出力し得る出力電圧が充電許容電圧でなくても充電を行える携帯電話機用充電器を提供する。【解決手段】携帯電話機２に電気的に接続して、携帯電話機２の内蔵電池の充電を行う携帯電話機用充電器１の本体７の出力電圧が、携帯電話機２の内蔵電池を充電し得る充電許容電圧でないとき、出力電圧を充電許容電圧に調節する電圧調節部８を設ける。本体７に、携帯電話機２の充電を行うとき電圧調節部８に電池１６の電流が流れ得る状態にするスイッチ部２５を設けることが好ましい。【選択図】        図３
2004158421.tif 000002
【特許請求の範囲】
【請求項１】
電池を交換可能に収容する本体を携帯電話機に電気的に接続して、携帯電話機の充電を行う携帯電話機用充電器であって、前記本体の出力電圧が、前記携帯電話機を充電し得る充電許容電圧でないとき、前記出力電圧を前記充電許容電圧に調節する電圧調節部を設けたことを特徴とする携帯電話機用充電器。
【請求項２】
前記本体に、前記携帯電話機の充電を行うとき前記電圧調節部に前記電池の電流が流れ得る状態にするスイッチ部を設けた請求項１に記載の携帯電話機用充電器。
【請求項３】
電池を交換可能に収容する本体を携帯電話機に電気的に接続して、携帯電話機の充電を行う携帯電話機用充電器であって、前記本体に、該本体に収容した電池の出力電圧を、前記携帯電話機を充電し得る充電許容電圧に調節する電圧調節部を設け、前記本体に、前記携帯電話機の充電を行うとき前記電圧調節部に前記電池の電流が流れ得る状態にするスイッチ部を設けたことを特徴とする携帯電話機用充電器。
【請求項４】
前記電圧調節部が、前記出力電圧が前記充電許容電圧でないとき、前記本体の出力電圧を前記充電許容電圧に調節する機能も有する請求項３に記載の携帯電話機用充電器。
【請求項５】
前記本体に、前記携帯電話機のインターフェイスコネクタに嵌合接続される接続コネクタを設け、前記スイッチ部が、該接続コネクタを前記インターフェイスコネクタに嵌合したとき、インターフェイスコネクタにより没入して、前記電圧調節部に前記電池の電流が流れ得る状態にする操作部を有する請求項２乃至４のいずれか１項に記載の携帯電話機用充電器。
【請求項６】
前記電池が、一次電池又は二次電池である請求項１乃至５のいずれか１項に記載の携帯電話機用充電器。
【発明の詳細な説明】
【０００１】
【発明の属する技術分野】
本発明は、本体に収容する電池が出力し得る出力電圧が充電許容電圧でなくても充電を行える携帯電話機用充電器に関するものである。
【０００２】
【従来の技術】
携帯電話機は、電源としてリチウム電池やニッカド電池などの二次電池である充電可能な電池（バッテリー）を内蔵している。電池切れの場合には、通常、付属している充電器（専用充電器）を用いて商用電源（ＡＣ電源）等から内蔵電池の充電を行っている。
【０００３】
専用充電器は、携帯することを前提するものではなく家庭等の所定の場所に置いて使用するものであり、携帯に適さず、しかも、商用電源がない場所では役に立たない。このため、内蔵電池の残量が少なくなると予め専用充電器を用いて充電を行なう必要があるが、常に残量を気にするわけではなく、残量が少ない状態や電池切れの状態のまま外出することもあり、外出時、電池切れが起こり携帯電話機を使用することができなくなってしまうことがある。特に、近年、内蔵電池は、１回の充電で長時間の使用が可能になってきているので、残量を気にする頻度が少なくなり、外出時、電池切れを起こすことが多くなると思われる。
【０００４】
このため、外出先でも携帯電話機の内蔵電池の充電を市販の例えば単３乾電池を用いて行える携帯電話機用充電器が提案されている（例えば、特許文献１参照。）。また、簡単に内蔵電池の充電を行え、携帯性に優れた携帯電話機用充電器も提案されている。
この携帯電話機用充電器は、市販の乾電池、単４乾電池３本を交換可能に収容する本体と、その本体の開口部を開閉する蓋と、本体に取り付けられ、単４乾電池を直列接続するための連結端子及び直列接続した乾電池のプラス電極とマイナス電極とに接続される２つの接続端子と、携帯電話機のインターフェイスコネクタに嵌合される接続コネクタと、その接続コネクタに取り付けられ、携帯電話機のインターフェイスコネクタに電気的に接続される接触端子と、その接触端子と接続端子とを接続する接続部材と、を備えたものである。この携帯電話機用充電器の本体に単４乾電池３本を直列に接続されるように収容し、接続コネクタを携帯電話機のインターフェイスコネクタに嵌合する。これにより、単４乾電池と携帯電話機の内蔵電池とが電気的に接続されて、乾電池によって携帯電話機の内蔵電池が充電される。
【０００５】
【特許文献１】
実用新案登録第３０５０００６号公報
【０００６】
【発明が解決しようとする課題】
ところで、前述の携帯電話機用充電器は、本体内に単４乾電池３本を直列に接続されるように収容した後に接続コネクタを携帯電話機のインターフェイスコネクタに嵌合することにより、携帯電話機の内蔵電池の充電を行うことができる。しかし、本体の出力電圧が携帯電話機の内蔵電池の充電を行える充電許容電圧であれば内蔵電池の充電を行えるが、本体の出力電圧（本体内に収容した単４乾電池３本を直列接続した出力電圧）が充電許容電圧でないときには、そのまま接続しても充電を行うことができない。すなわち、本体に収容する電池が出力し得る出力電圧以外の充電許容電圧の携帯電話機の充電を行えないので、適用範囲が狭く必ずしも汎用性がよいとは言えない。
【０００７】
そこで、本発明は、このような実情に鑑みなされたものであり、その目的は、本体に収容する電池が出力し得る出力電圧が充電許容電圧でなくても充電を行える携帯電話機用充電器を提供することにある。
【０００８】
【課題を解決するための手段】
前記目的を達成するために、本発明の携帯電話機用充電器は、電池を交換可能に収容する本体を携帯電話機に電気的に接続して、携帯電話機の充電を行う携帯電話機用充電器であって、前記本体の出力電圧が、前記携帯電話機を充電し得る充電許容電圧でないとき、前記出力電圧を前記充電許容電圧に調節する電圧調節部を設けたものである。
前記本体に、前記携帯電話機の充電を行うとき前記電圧調節部に前記電池の電流が流れ得る状態にするスイッチ部を設けることが好ましい。
【０００９】
また、本発明の携帯電話機用充電器は、電池を交換可能に収容する本体を携帯電話機に電気的に接続して、携帯電話機の充電を行う携帯電話機用充電器であって、前記本体に、該本体に収容した電池の出力電圧を、前記携帯電話機を充電し得る充電許容電圧に調節する電圧調節部を設け、前記本体に、前記携帯電話機の充電を行うとき前記電圧調節部に前記電池の電流が流れ得る状態にするスイッチ部を設けたものである。
前記電圧調節部が、前記出力電圧が前記充電許容電圧でないとき、前記本体の出力電圧を前記充電許容電圧に調節する機能も有することが好ましい。
【００１０】
前記本体に、前記携帯電話機のインターフェイスコネクタに嵌合接続される接続コネクタを設け、前記スイッチ部が、該接続コネクタを前記インターフェイスコネクタに嵌合したとき、インターフェイスコネクタにより没入して、前記電圧調節部に前記電池の電流が流れ得る状態にする操作部を有することが好ましい。
前記電池が、一次電池又は二次電池であることが好ましい。
【００１１】
【発明の実施の形態】
以下、本発明の実施の形態を添付図面に基づいて詳述する。
図１乃至図３は本発明の携帯電話機用充電器が示されている図である。図１乃至図３において、１は充電器（携帯電話機用充電器）を示し、この充電器１は、携帯電話機２の内蔵電池（図示せず）を充電するものである。
【００１２】
携帯電話機２としては、機種によっていろいろな形状のものがあり特に限定されず、図１に示すように、ストレートタイプのものであっても、図３に示すように、二つ折りタイプのものであってもよい。
携帯電話機２の端面のほぼ中央部には、通信データの送受信や内蔵されている充電可能な内蔵電池（バッテリー）の充電等を行えるようにインターフェイスコネクタ３が設けられている。
【００１３】
インターフェイスコネクタ３は、メス型のコネクタであり、その形状は、携帯電話機が利用する方式によって異なる。携帯電話機の主な方式は、ＰＤＣ（Ｐｅｒｓｏｎａｌ  Ｄｉｇｉｔａｌ  Ｃｅｌｌｕｌａｒｓｙｓｔｅｍ：デジタル携帯電話）とＣＤＭＡ（Ｃｏｄｅ  Ｄｉｖｉｓｉｏｎ  Ｍｕｌｔｉｐｌｅ  Ａｃｃｅｓｓ：符号分割多重接続）との２つがあり、この２つの方式を利用した携帯電話機のコネクタ部は嵌合形状が異なるが、本実施の形態では、ＰＤＣ方式を利用した携帯電話機２のインターフェイスコネクタ３について説明する。
インターフェイスコネクタ３は、メス型のコネクタであり、このコネクタ３には、嵌合凹部４内に例えば１６個のコネクタ端子を有する端子部５が嵌合凹部４の深さ方向に沿って立設されている。インターフェイスコネクタ３は、未使用時、ゴミ等が入らないようにカバー（図示せず）が装着されている。このインターフェイスコネクタ３に充電器１の接続コネクタ６が挿入されて嵌合される。
【００１４】
充電器１は、電池を交換可能に収容する本体７と、その本体７の長手方向の一方の面（取付面）に、その長手方向に沿って延在すると共に一体的（又は個別）に設けられる接続コネクタ６と、本体７内に設けられ、出力電圧を携帯電話機２の内蔵電池を充電し得る充電許容電圧に調節する電圧調節部８とからなる。
本体７（蓋９を含む）及び接続コネクタ６の材質は、絶縁材料であればどのようなものでもよく、例えばプラスチック等の合成樹脂が用いられる。
【００１５】
接続コネクタ６は、携帯電話機２のインターフェイスコネクタ３の嵌合凹部４に挿入されて嵌合されるオス型のコネクタであり、本体７の長手方向に沿って延在する断面ほぼ細長の矩形状に形成されている。接続コネクタ６には、インターフェイスコネクタ３の端子部５が嵌合される端子凹部１０が設けられている。端子凹部１０には、プラス接触端子１１、マイナス接触端子１２が設けられており、端子凹部１０にインターフェイスコネクタ３の端子部５が嵌合されたとき、プラス接触端子１１、マイナス接触端子１２と端子部５の内蔵電池の外部出入力端子（プラス給電端子１３、マイナス給電端子１４）とが電気的に接続されて、内蔵電池の充電が行えるようになっている。
プラス接触端子１１、マイナス接触端子１２には、外部出入力端子との接続が確実に行われるように端子凹部１０の内側に突出する突部（図示せず）をそれぞれ設けることが好ましい。
【００１６】
接続コネクタ６の壁部であって幅の長い両壁部（両長壁部）には、嵌合凹部４の対応する内壁とそれぞれ嵌合し得るように溝や突出した部分（突条）が複数設けられている。すなわち、接続コネクタ６を嵌合凹部４に挿入して嵌合するとき、長壁部（接続コネクタ６）を逆に挿入しようとしても、挿入できないような形状に両長壁部が形成されている。
【００１７】
接続コネクタ６には、インターフェイスコネクタ３に挿嵌したとき、接続コネクタ６（充電器１）がインターフェイスコネクタ３から抜け難くする抜出抑制部（図示せず）を設けることが好ましい。
抜出抑制部は、どのように構成してもよく、例えば、接続コネクタ６の残りの両壁部（両短壁部）に、インターフェイスコネクタ３の嵌合凹部４を形成する内壁又は内壁に設けられた係合部と係合して接続コネクタ６を係止する係止部をそれぞれ一体的に又は個別に設けて構成するようにしてもよい。
【００１８】
一体的に設けられる係止部としては、嵌合方向に沿って延在すると共に、短壁部内に可撓可能に形成される。係止部の外表面には、例えば断面ほぼ半円形状の突部（係合突部）が設けられ、この突部が嵌合凹部の内壁の係合部（図示せず）と係合し、接続コネクタ６がインターフェイスコネクタから抜け難くなる。
【００１９】
抜出抑制部としては、係止部を設けて構成してもよいが、接続コネクタ６の両短壁部に、接続コネクタ６の延在方向に沿って延在し、端子凹部１０に連通されるスリットを設けて構成してもよい。この場合、接続コネクタ６の長壁部の幅（長壁部の外表面の幅）は、対応する嵌合凹部の長内壁の幅より大きく、好ましくは少し大きく形成することがよい。
スリットは、接続コネクタ６の長壁部の幅を弾性変形により短くするものであり、スリットの幅は、長壁部の幅を弾性変形により嵌合凹部の長内壁の幅以下にする範囲から任意に決められる。
【００２０】
接続コネクタ６には、嵌合凹部４への挿嵌が容易に行えるように嵌合案内部（図示せず）を設けることが好ましい。
嵌合案内部は、どのように構成してもよく、例えば、両長壁部の先端部（嵌合方向先端部）の側端部に、嵌合凹部内へと案内する傾斜面をそれぞれ形成して構成するようにしてもよい。傾斜面の先端部間の幅は、対応する嵌合凹部４の内壁間の幅（間隔）より小さく形成するようにする。この傾斜面と共に、両短壁部の先端部の側端部に、ほぼ同様に嵌合凹部内へと案内する傾斜面をそれぞれ形成するようにしてもよい。
傾斜面の形状は、例えば、ＲやＣ面（平面）状に形成される。
【００２１】
電池としては、市販されている電池（市販電池）でも市販されていない電子機器等に付属されている充電池等の電池でもよく、また、一次電池も二次電池でもよい。具体的には例えば、電池としては、００６Ｐ型（規格番号００６Ｐ型）の９Ｖ乾電池、単１乾電池、単２乾電池、単３乾電池、単４乾電池、単５乾電池などの市販電池等の一次電池、それら市販されている単＊型乾電池と同じ形のニッケル水素電池、ニカド電池などの充電池、薄型の充電池、組電池、デジタルカメラや携帯電子機器などに使用される充電池（専用充電池）等の二次電池等である。
【００２２】
本体７は、例えば断面ほぼ矩形、ほぼ円形、ほぼ楕円形、ほぼ多角形等の箱状に形成される。本体７は、例えば、図１乃至図４に示すように、断面ほぼ矩形の箱状に形成される。
本体７の電池を収容する電池収容部１５は、収容する電池の種類、数、大きさに応じて形成され、具体的には例えば、図２に示すように、単＊型の電池を１本、例えば単３電池（一次電池と二次電池との両方を含む）１６を１本収容し得る断面凹状（矩形状）に形成されている。もちろん、電池収容部１５は、単＊型の電池を２本以上収容する形状に形成してもよく、また、他の電池、例えば、図４に示すように、矩形状の専用充電池１７を１個収容し得る断面凹状（矩形状）に形成するようにしてもよい。
【００２３】
本体７には、図１、図２及び図４に示すように、電池収容部１５の開口部を開閉する蓋９が着脱自在に取り付けられている。
蓋９は、平面視ほぼ矩形状に形成されている。蓋９は、本体７に着脱自在に取り付けられるならばどのように形成してもよい。例えば、蓋９は、本体７内に設けられている蓋係合部（図示せず）に係合する蓋係合突起１８と、その蓋係合突起１８と対向する蓋９の内壁に設けられ、本体の蓋係合凹部（図示せず）に係合する蓋突起（図示せず）とを備え、蓋９の両側壁を本体７の電池収容部１５を形成する両側壁面に当接させて蓋９をスライドさせることにより、蓋係合突起１８と蓋係合部とが係合すると共に、蓋突起と蓋係合凹部とが係合して、蓋９が着脱自在に取り付けられるようにしてもよい。
【００２４】
なお、蓋９の裏面には、収容した電池の長手方向にほぼ直交する方向への移動を防止する例えばほぼ三角形状の移動防止部（図示せず）を設けるようにしてもよい。また、蓋９が当接する電池収容部を形成する側壁面の内側には、リブを立設して蓋９の位置決めを容易に行えるようにしてもよい。
【００２５】
本体７には、電池収容部１５に収容された電池１６のプラス極に電気的に接続されるプラス端子２０と、その電池１６のマイナス極に電気的に接続されるマイナス端子２１とが設けられている。
プラス端子２０と接続コネクタ６のプラス接触端子１１とは第１接続端子２２により電気的に接続されていると共に、マイナス端子２１と接続コネクタ６のマイナス接触端子１２とは第２接続端子２３により電気的に接続されている。
第１接続端子２２には、本体７の出力電圧を携帯電話機２の内蔵電池を充電し得る充電許容電圧に調節する電圧調節部８が介設されている。
【００２６】
電圧調節部８は、調節回路と調節制御回路とのどちらか一方の回路又は両方の回路を有する。
調節回路は、本体７に収容した一次電池又は二次電池の出力電圧を充電する携帯電話機２の充電許容電圧に調節するものである。調節回路は、どのように構成してもよく、例えば、ダイオード、抵抗、レギュレータ、昇圧回路等により構成される。具体的には例えば、調節回路は、携帯電話機２の内蔵電池の電圧が５．３Ｖである場合には、本体に収容した一次電池又は二次電池の出力電圧が６．０〜６．８Ｖの充電許容電圧となるようにする昇圧回路である。調節回路は、一次電池と二次電池とで出力電圧が異なるので、一次電池を基準として回路を構成すると、二次電池の場合には出力電圧が充電許容電圧とならない場合があり、一次電池用の回路と二次電池用の回路の両方が必要にある。このため、調節回路は、一次電池を基準として構成されているものが汎用されることになる。
【００２７】
調節制御回路は、出力電圧が充電許容電圧にない場合には、それを検出して出力電圧が充電許容電圧になるように調節するものである。調節制御回路は、どのように構成してもよい。
【００２８】
また、電圧調節部８が調節回路と調節制御回路との両方の回路を有する場合は、例えば、電池が一次電池（例えば市販の単＊型の乾電池は電圧が約１．５Ｖ（±０．３Ｖ））と二次電池（例えば市販の充電可能な電池は電圧が約１．２Ｖ（±０．３Ｖ））とでは出力電圧が異なるため、調節回路のみでは一次電池を用いた場合と二次電池を用いた場合とではどちらか一方の出力電圧が充電許容電圧にならないときがあることがあるので、この場合に出力電圧を充電許容電圧になるように調節制御回路をも有するように構成される。つまり、通常、調節回路が一次電池を基準として回路が構成されるため、一次電池を使用した場合では携帯電話機２の内蔵電池の充電を行えるが、二次電池を使用した場合では携帯電話機２の内蔵電池の充電を行えない場合があるので、一次電池と二次電池との両方で携帯電話機２の内蔵電池の充電を行えるように調節回路と調節制御回路との両方の回路を電圧調節部８が有するものである。
【００２９】
電圧調節部８は、電池収容部１５とほぼ同じ幅及び長さの矩形平板状の回路基板２４からなり、電池収容部１５と並列に本体７内に設けられている。回路基板２４には、回路基板２４とほぼ同形状に形成され、回路基板２４の熱を放熱する放熱絶縁板（図示せず）を設けることが好ましい。
【００３０】
プラス端子２０と電圧調節部８とを連結する第１接続端子２２には、携帯電話機２の充電を行うとき電圧調節部８に電池の電流が流れ得る状態にするスイッチ部２５を設けることが好ましい。スイッチ部２５は、携帯電話機２の充電を行うときに雷圧調節部８に電池の電流が流れ得る状態にするようにできるならばどのように構成してもよく、例えば、本体７の側部等にＯＮ・ＯＦＦを切り替える（電圧調節部８への通電を切り替える）切替スイッチを設けるようにしてもよいが、充電を行うときのみ電圧調節部８に電流が流れ得る状態にするようにすることが好ましい。
【００３１】
具体的には例えば、スイッチ部２５は、第１接続端子２２に接続され、ＯＮ・ＯＦＦを切り替える（電圧調節部８への通電を切り替える）と共に、押圧によりＯＮ動作を行う（通電を行う）動作部２６を有する切替部２７と、その動作部２６に弾性部材（例えばバネ）２８を介して連結され、先端部２９が接続コネクタ６から突出する操作部３０とからなる。
【００３２】
操作部３０は、例えば、断面円径のほぼ凸状に形成され、その軸が接続コネクタ６の挿入方向に沿って移動するように本体７内に移動可能に設けられている。接続コネクタ６の端子凹部１０を形成する底壁には、操作部３０のうち先端部２９である小径部のみが貫通する貫通孔３１が設けられ、この貫通孔３１に操作部３０の先端部２９が挿入されている。
【００３３】
操作部３０は、弾性部材２８により接続コネクタ６側に付勢、つまり、先端部２９が端子凹部１０内で突出する（接続コネクタ６から突出する）ように付勢されており、接続コネクタ６をインターフェイスコネクタ３の嵌合凹部４に挿入して嵌合したとき、インターフェイスコネクタ３の端子部５により先端部２９が弾性部材２８の付勢力に抗して本体７（接続コネクタ６）内に没入し、動作部２６を押圧して作動させ切替部２７がＯＮとなり、電圧調節部８に電池の電流が流れ得る状態になるようになっている。
【００３４】
また、本体の一側部の接続コネクタ６側の端部近傍には、未使用時、ゴミ等が入らないように接続コネクタ６を覆うコネクタカバー３２が着脱可能に取り付けられている。このコネクタカバー３２は、本体７に一体的に取り付けてもよいし、また、なくてもかまわない。
【００３５】
さて、この充電器１を用いて携帯電話機２の内蔵電池の充電を行うには、本体７の電池収容部１５に一次電池又は二次電池等の電池が収容されていないときには、蓋９を本体７から取り外して電池収容部１５を露出させる。この電池収容部１５に、例えば、市販されている一次電池である単３電池１６を収容する。収容後、取り外した蓋９を本体７に取り付ける。
【００３６】
電池１６が収容されている充電器１の接続コネクタ６を、携帯電話機２のインターフェイスコネクタ３の嵌合凹部４につき合わせて、接続コネクタ６を嵌合凹部４内に挿入して嵌合する。このとき、接続コネクタ６の端子凹部１０内には、操作部３０の先端部２９が突出しているが、接続コネクタ６を嵌合凹部４内に挿嵌したとき、操作部３０の先端部２９は、端子部５と接触して端子部５の端子凹部１０への挿入により、弾性部材（バネ）２８の付勢力に抗して本体７内方向に移動して本体７（接続コネクタ６）内に没入する。この操作部３０の移動により、動作部２６が押圧されて切替部２７がＯＮとなり、電圧調節部８に電池１６の電流が流れる。これにより、本体７に収容されている電池が、例えば市販されている一次電池である単３電池１６であっても、電圧調節部８によって出力電圧が充電を行う携帯電話機２の充電許容電圧に調節される。具体的には例えば、携帯電話機２の内蔵電池の電圧が５．３Ｖである場合には、出力電圧が６．０〜６．８Ｖとなるように調節される。
【００３７】
すなわち、電圧調節部８は、調節回路と調節制御回路とのどちらか一方の回路又は両方の回路を有する。
電圧調節部８が調節回路を有する場合、一次電池用と二次電池用との２つがあるので、本体に一次電池用の調節回路が設けられているときには一次電池を収容すると共に、本体に二次電池用の調節回路が設けられているときには二次電池を収容する。これにより、本体７の出力電圧が充電許容電圧に調節される。
【００３８】
電圧調節部８が調節制御回路を有する場合、本体７に一次電池又は二次電池を収容する。このとき、本体７の出力電圧が充電許容電圧でないと、電圧調節部８により出力電圧が充電許容電圧になるように調節される。
【００３９】
電圧調節部８が調節回路と調節制御回路との両方の回路を有する場合、例えば、調節回路が一次電池を基準として回路が構成されて、本体７に一次電池を収容すると、調節回路が動作して出力電圧が充電許容電圧に調節される。また、本体７に二次電池を収容すると、調節回路が動作してから調節制御回路が動作して出力電圧が充電許容電圧に調節される。
【００４０】
よって、接続コネクタ６を嵌合凹部４内に挿入して嵌合することにより、接続コネクタ６のプラス接触端子１１、マイナス接触端子１２と端子部５の内蔵電池の外部出入力端子（プラス給電端子１３、マイナス給電端子１４）とが電気的に接続されて、携帯電話機２の内蔵電池（バッテリー）の充電が行われる。
【００４１】
このとき、接続コネクタ６に抜出抑制部が設けられていると、接続コネクタ６がインターフェイスコネクタ３（嵌合凹部４）から抜け難くなっているので、充電器１が簡単に抜けることなく携帯電話機２の内蔵電池の充電を行える。
【００４２】
そして、内蔵電池の充電が終了した場合等には、接続コネクタ６を嵌合凹部４から引き抜く。このように、接続コネクタ６を嵌合凹部４から引き抜くと、操作部３０は弾性部材２８の付勢力により接続コネクタ６の嵌合方向に移動して、本体７（接続コネクタ６）内に没入していた操作部３０の先端部２９が端子凹部１０内に突出する。この操作部３０の移動により、動作部２６の押圧が解除されて切替部２７がＯＦＦとなり、電圧調節部８への電池１６の電流が遮断される。
【００４３】
このように、充電を行うときのみ電圧調節部８に電流が流れるので、本体７（電池収容部１５）に電池１６を収容しても電池１６ｂが放電することがなくなる。すなわち、本体７（電池収容部１５）に電池１６を収容し、その電池１６の電流が電圧調節部８に流れ得る状態であると、電圧調節部８は回路を内蔵しているため、電池１６が内部放電するので、電池１６が消耗する。長期間本体７（電池収容部１５）に電池１６を収容していると、電池切れを起こすことになるからである。
【００４４】
したがって、本発明の充電器１は、本体７（電池収容部１５）に収容した状態の電池１６ではそのままでは充電を行えないような場合でも（本体７に収容する電池１６が出力し得る出力電圧が充電許容電圧でなくても）携帯電話機２の内蔵電池の充電を行えると共に、本体７（電池収容部１５）に電池１６を収容しても電池１６が放電することがないものであり、汎用性がよく工業的価値は高いものである。
【００４５】
また、電圧調節部８が調節制御回路又は調節回路と調節制御回路との両方の回路を有する場合には、市販のアルカリ乾電池等の一次電池を用いて携帯電話機２の内蔵電池の充電を行えることはもちろん、ニッケル水素電池、ニカド電池などの充電池、デジタルカメラや携帯電子機器などに使用される専用充電池等の二次電池を用いても携帯電話機２の内蔵電池の充電を行えるので、その二次電池を繰り返して使用することができ、より汎用性がよいものである。
【００４６】
【発明の効果】
本発明により、本体に収容する電池が出力し得る出力電圧が充電許容電圧でなくても充電を行える携帯電話機用充電器が得られる。
【図面の簡単な説明】
【図１】本発明の携帯電話機用充電器を携帯電話機に接続させる一例を示す斜視図である。
【図２】本発明の携帯電話機用充電器に電池を収容する一例を示す斜視図である。
【図３】本発明の携帯電話機用充電器を携帯電話機に接続させる一例を示す概略構成図であり、その（ａ）は接続前の状態を示す図、（ｂ）は接続後の状態を示す図である。
【図４】本発明の他の例の携帯電話機用充電器に電池を収容する一例を示す斜視図である。
【符号の説明】
１    携帯電話機用充電器
２    携帯電話機
３    インターフェイスコネクタ
４    嵌合凹部
５    端子部
６    接続コネクタ
７    本体
８    電圧調節部
１０  端子凹部
１６  電池
２５  スイッチ部
２９  先端部
３０  操作部
【図１】
2004158421.tif 000003
【図２】
2004158421.tif 000004
【図３】
2004158421.tif 000005
【図４】
2004158421.tif 000006